(57)【特許請求の範囲】
【請求項１】
箱形をなす中空の外殻体の中空内に断熱材を充填してなり、その外殻体の箱内部に装着された電装品のリード線を、箱内部から前記断熱材中に導入して箱外部に前記導入方向とは交差する方向に導出された電気配線を備えた断熱箱体であって、
前記外殻体の箱内部の面に形成された導入口と、前記外殻体の箱外部の面に形成された導出口と、前記導入口が形成された箱内部の面と対向する箱外部の面に形成された中継口と、前記断熱材を貫通して前記導入口と前記中継口とを連通させるように孔明け加工された第１通路と、前記断熱材を貫通して前記導出口と前記中継口とを連通させるように孔明け加工された第２通路とを備えてなる電気配線を備えた断熱箱体。
【請求項２】
箱形をなす中空の外殻体の中空内に断熱材を充填してなり、その外殻体の箱内部に装着された電装品のリード線を、箱内部から前記断熱材中に導入して箱外部に前記導入方向とは交差する方向に導出された電気配線を備えた断熱箱体の製造方法であって、
前記外殻体の箱内部の面に導入口を、箱外部の面に導出口をそれぞれ形成する工程と、
前記導入口が形成された箱内部の面と対向する箱外部の面に中継口を形成する工程と、
前記外殻体の中空内に断熱材を充填する工程と、
孔明け工具により前記断熱材を貫通して前記導入口と前記中継口とを連通させる第１通路を形成する工程と、
孔明け工具により前記断熱材を貫通して前記導出口と前記中継口とを連通させる第２通路を形成する工程と、
前記電装品のリード線を前記導入口から前記第１通路を通して前記中継口の外部に一旦引き出す工程と、
その引き出されたリード線を前記中継口から前記第２通路を通して前記導出口の外部に引き出す工程とを順次行う電気配線を備えた断熱箱体の製造方法。
【発明の詳細な説明】
【０００１】
【産業上の利用分野】
本発明は、冷蔵庫等の電気配線を備えた断熱箱体ならびにその製造方法に関する。
【０００２】
【従来の技術】
例えば、レストラン等の調理場で使用される台下冷蔵庫では、箱形をなす中空の外殻体の中空内に発泡ウレタン樹脂等の断熱材を充填してなる断熱箱体を本体部として備えている。詳細には、その外殻体は、前面の中央部を開口した外箱内に、同じく前面の中央部を開口した内箱を嵌め、両箱の開口縁の間をジョイナで塞いで中空状に組み付けられ、その中空内に上記のように断熱材を充填することにより、前面の中央部に出入口を設けた断熱箱体が形成されている。そして、その出入口はセンタフレームを取り付けることにより左右に仕切られ、出入口を覆って観音開き式の断熱扉が設けられる。
【０００３】
ところで、このような冷蔵庫では、本体部である断熱箱体の内部が冷却されるのに伴ってセンタフレームの外面で結露することを防止するために、センタフレームの内面にコードヒータが貼られている。このコードヒータは、電源装置等に接続するために、その上端部から引き出されたリード線を断熱箱体に隣接して設けられる機械室に向けて配線する必要があり、その場合、リード線を断熱箱体の上面側に引き出すのが最も簡単である。しかしながら、台下冷蔵庫の場合は、断熱箱体と機械室との上面にわたって調理台となる天板が張られるため、リード線を断熱箱体の上面側に引き出すことができないという事情がある。したがって、コードヒータのリード線の場合は、センタフレームの上方のジョイナの部分から断熱材中を回曲して通して断熱箱体の前面の上框に引き出し、その上框に沿って機械室まで配線するのが一般的である。
【０００４】
このようにリード線を断熱材中を回曲して引き出す手段としては、従来、特開平４−２２５７７６号公報に記載されているように、内箱の天井面と外箱の前面とにそれぞれ開口を形成して両開口の間にＬ字形のパイプを取り付け、その後に断熱材を充填することにより断熱材中にパイプを埋め込んで、リード線の引き出し用通路を形成したものが知られている。
【０００５】
【発明が解決しようとする課題】
しかしながら従来のものは、Ｌ字形パイプが別途に必要となるために製造コストの上昇を招き、また、Ｌ字形に曲がった通路にリード線を通すのであるから、リード線が途中でパイプに突き当たって簡単には導出できない等により挿通作業に手間が掛かる欠点があった。
【０００６】
そこで本発明は、リード線の挿通用に格別の部材を要することなく、また、リード線の挿通作業も簡単に行えるようにした断熱箱体およびその製造方法を提供することを目的とする。
【０００７】
【課題を解決するための手段】
上記の目的を達成するための手段として、請求項１の発明は、箱形をなす中空の外殻体の中空内に断熱材を充填してなり、その外殻体の箱内部に装着された電装品のリード線を、箱内部から断熱材中に導入して箱外部に導入方向とは交差する方向に導出された電気配線を備えた断熱箱体であって、外殻体の箱内部の面に形成された導入口と、外殻体の箱外部の面に形成された導出口と、導入口が形成された箱内部の面と対向する箱外部の面に形成された中継口と、断熱材を貫通して導入口と中継口とを連通させるように孔明け加工された第１通路と、断熱材を貫通して導出口と中継口とを連通させるように孔明け加工された第２通路とを備えてなることを特徴としている。
【０００８】
また、請求項２の発明は、箱形をなす中空の外殻体の中空内に断熱材を充填してなり、その外殻体の箱内部に装着された電装品のリード線を、箱内部から断熱材中に導入して箱外部に導入方向とは交差する方向に導出された電気配線を備えた断熱箱体の製造方法であって、外殻体の箱内部の面に導入口を、箱外部の面に導出口をそれぞれ形成する工程と、導入口が形成された箱内部の面と対向する箱外部の面に中継口を形成する工程と、外殻体の中空内に断熱材を充填する工程と、孔明け工具により断熱材を貫通して導入口と中継口とを連通させる第１通路を形成する工程と、孔明け工具により断熱材を貫通して導出口と中継口とを連通させる第２通路を形成する工程と、電装品のリード線を導入口から第１通路を通して中継口の外部に一旦引き出す工程と、その引き出されたリード線を中継口から第２通路を通して導出口の外部に引き出す工程とを順次行うことを特徴としている。
【０００９】
【作用】
請求項１の発明の作用は以下のようである。断熱箱体の箱内部に装着された電装品のリード線は、箱内部の導入口から第１通路に真直に通されつつ中継口の外部に一旦引き出され、続いて、その中継口から第２通路に真直に通されて導出口の外部に引き出される。これにより、リード線は、箱内部から断熱材中を回曲して通って導入方向とは交差する方向で箱外部に導出される。
【００１０】
請求項２の発明の作用は以下のとおりである。まず、外殻体の箱内部の面にリード線を導入するための導入口が形成され、また、箱外部のリード線の導入方向と交差する面に導出口が形成される。それとともに、導入口が形成された面と対向する箱外部の面に中継口が形成される。その後、外殻体の中空内に断熱材が充填される。次に、ドリル等の孔明け工具により、断熱材を貫通して導入口と中継口とを連通する真直な第１通路が形成され、続いて同じく孔明け工具により、断熱材を貫通して導出口と中継口とを連通する真直な第２通路が形成される。そして、箱内部に装着された電装品のリード線が、導入口から第１通路に通されつつ中継口の外部に一旦引き出され、続いて、その引き出されたリード線が中継口から第２通路に通されて導出口の外部に引き出される。
【００１１】
【発明の効果】
すなわち請求項１の発明によれば、断熱材中にリード線を回曲して挿通する挿通路を、中継口を利用して孔明け加工した２本の通路で形成するようにしたから、挿通路形成用の別部品が不要で安価に製造することができる。また、リード線を通す際には、真直な２本の通路に順次に通せば良いから、リード線が途中で突き当たる等のおそれがなく、リード線の挿通作業を簡単に能率良く行うことができる効果がある。
また、請求項２の発明によれば、上記効果が得られる電気配線を備えた断熱箱体を確実に製造することができる効果がある。
【００１２】
【実施例】
以下、本発明の一実施例を図１乃至図５に基づいて説明する。本実施例は、台下冷蔵庫の断熱箱体内からリード線を引き出す場合を例示する。
本実施例の台下冷蔵庫は、図１に示すように、本体部となる断熱箱体１と、その断熱箱体１の側方に並んで取り付けられる機械室２と、断熱箱体１から機械室２の上面にわたって張られて調理台となる天板３とから構成されている。
【００１３】
断熱箱体１は、図２、３に示すように、外箱５と、その内側に間隔を開けて嵌め込まれる内箱６とを備えており、その外箱５と内箱６の前面の中央部にはそれぞれ互いに整合する開口部７、８が形成されている。外箱５と内箱６の上下および左右の対応する開口縁７ａ、８ａの間の４つの開放面は、それぞれジョイナ９により閉塞されつつ連結されている。
【００１４】
この外箱５と内箱６の開口縁７ａ、８ａの間をジョイナ９で連結する部分の構造を、上辺の開口縁を例に取って図４により説明する。外箱５の開口縁７ａには、内方を向いて水平に突出した取付部１１が形成され、その先端に立上り部１２が形成されている。内箱６の開口縁８ａには、外方を向いて水平に突出した取付部１３が形成されている。
【００１５】
一方のジョイナ９は、両箱５、６の開口縁７ａ、８ａの全長にわたる長さで、かつ、両箱５、６の開口縁７ａ、８ａの間の間隔に匹敵する幅を持つ基板１５を有している。その基板１５の内方の側縁には係止部１６が立上って形成されており、幅方向の中央よりも少し外側の位置に、その係止部１６よりも背の低い立上り部１７が形成されている。また、基板１５の幅方向の中央よりも少し内側の位置には連結部１８が立ち上がって形成され、その上端の内側に、頂点を下に向けてく字形に曲がった挟持部１９が形成されている。その連結部１８の上端の外側には、先端が上記した立上り部１７よりも外側の位置まで突出した水平部２０が形成され、その先端に鈎部２１が形成されている。
【００１６】
そして、このジョイナ９の内側縁の係止部１６が内箱６の開口縁８ａの内側に係止されるとともに、挟持部１９と基板１５との間で内箱６の取付部１３が挟持され、また、ジョイナ９の水平部２０の鈎部２１と立上り部１７との間に、外箱５の取付部１１の立上り部１２が挿入されることによって、外箱５と内箱６の開口縁７ａ、８ａの上辺の間がジョイナ９で閉塞されつつ連結される。また、下側および左右両側の他の３辺の開口縁の間も同様にしてジョイナ９により連結され、それにより、前面の中央部に出入口２４となる開口部を設けた中空の箱形をなす外殻体２３が組み付けられる。
【００１７】
その外殻体２３の出入口２４の上面部分を構成するジョイナ９の基板１５には、長さ方向の中央における立上り部１７と連結部１８の間に、後記するリード線４３を導入するための導入口２６が開口されているとともに、ジョイナ９の水平部２０における導入口２６の直上位置に挿通口２７が形成されている。また、外箱５の前面の上框５ａの長さ方向の中央には、リード線４３の導出口２８が形成されている。さらに、外箱５の上面には、前端側が上記のジョイナ９の導入口２６ならびに挿通口２７の直上にあって、そこから後方側に伸びた長孔状の中継口２９が形成されている。すなわち、導入口２６、挿通口２７、導出口２８および中継口２９は、同じ鉛直面上に形成されている。なお、ジョイナ９の基板１５の導入口２６よりも外側の位置には取付孔３１が形成されており、外箱５の取付部１１のその取付孔３１と対応する位置にねじ孔３２が形成されている。
【００１８】
上記した外殻体２３の出入口２４の幅方向の中央部には、図２に示すように、センタフレーム３４が取り付けられるようになっている。このセンタフレーム３４は、本体板３５の両側に、出入口２４の奥行きに略等しい奥行きの側板３６を直角に形成した断面コ字形に形成されており、図４に示すように、本体板３５の上下両端が延長されて直角曲げされることにより取付部３７が形成されている。そのセンタフレーム３４の取付部３７は、センタフレーム３４の本体板３５が外箱５の前面と面一に出入口２４に嵌め込まれた場合に、先端縁がジョイナ９の基板１５の導入口２６の手前側に留まった状態で、ジョイナ９の基板１５の内面に重なるようになっており、その取付部３７にはねじ３９の挿通孔４０が形成されている。このセンタフレーム３４の本体板３５の裏面側に、コードヒータ４２が貼り付けられて装着されており、コードヒータ４２の上端側からリード線４３が引き出されている。
また、上記した外殻体２３には、センタフレーム３４で仕切られた左右の出入口２４を開閉可能に覆う観音開き式の断熱扉４５が備えられている。
【００１９】
続いて、本実施例の断熱箱体の製造の手順を説明する。まず、それぞれ前面の中央部に開口部７、８が形成された外箱５と内箱６とが準備されるとともに、両箱５、６の上下および左右の開口縁７ａ、８ａの間を連結する４本のジョイナ９が準備される。ここで、上記したように、４本のジョイナ９のうちの両箱５、６の上辺の開口縁７ａ、８ａを連結するためのジョイナ９には、長さ方向の中央部においてリード線４３の導入口２６と挿通口２７とが形成されているとともに、外箱５の前面の上框５ａの中央部にリード線４３の導出口２８が予め形成されている。また、外箱５の上面には、前後に延びる長孔状の中継口２９が予め形成されている。
【００２０】
そして、上記した外箱５内に内箱６が一定の間隔を開けて嵌め込まれて、両箱５、６の上下および左右の開口縁７ａ、８ａの間がそれぞれジョイナ９で塞がれつつ連結されることにより、前面の中央部に出入口２４を設けた中空の箱状をなす外殻体２３が組み付けられる。このとき、外箱５の上面の長孔状の中継口２９は、その前端がジョイナ９の導入口２６ならびに挿通口２７の直上に位置し、そこから後方に伸長した状態となる。
【００２１】
続いて、ジョイナ９の導入口２６ならびに外箱５の導出口２８と中継口２９とをそれぞれシールテープを貼ることによって塞ぐ。その状態で外殻体２３を図示しない断熱材充填用の治具に装着して、外箱５の所定位置に開口された図示しない注入口から、外殻体２３の中空内に断熱材である発泡ウレタン樹脂４７を注入して充填する。発泡ウレタン樹脂４７が発泡して固化したら、導入口２６、導出口２８および中継口２９に貼ったシールテープを剥す。それにより、前面の中央部に出入口２４が開口された断熱箱体１が形成される。
【００２２】
次に、コードヒータ４２が裏面に貼り付けられたセンタフレーム３４を断熱箱体１の出入口２４の中央部に嵌め込み、図４に示すように、ねじ３９を、センタフレーム３４の取付部３７の挿通孔４０から、上側または下側のジョイナ９の基板１５の取付孔３１を通して外箱５の取付部１１のねじ孔３２に螺合して締め付けることによって固定する。
【００２３】
続いて、図４（Ａ）に示すように、孔明け用のドリル４９を、ジョイナ９の導入口２６から挿通口２７を通して外箱５の上面の中継口２９の前端に向けて上向きに挿通することにより、断熱材４７を貫通して鉛直な第１通路５１を形成する。次に、同図（Ｂ）に示すように、同じくドリル４９を、外箱５の前面の導出口２８から中継口２９に向けて挿通することにより、断熱材４７を貫通して、上記の第１通路５１の中継口２９側の端部と連通するようにして斜めの第２通路５２を形成する。
【００２４】
そして、図５（Ａ）に示すように、センタフレーム３４に貼られたコードヒータ４２の上端から引き出されたリード線４３を、ジョイナ９の導入口２６から第１通路５１中に真直に導入して、中継口２９から一旦外部に引き出す。続いて、その引き出されたリード線４３を、同図（Ｂ）に示すように、外箱５の外部で回曲して、同図（Ｃ）に示すように、中継口２９から第２通路５２に真直に通すと、リード線４３が導出口２８から断熱箱体１の前面に導出される。このようにリード線４３を導出したら、中継口２９からリード線４３が飛び出さないように、中継口２９にテープ等を貼って目張りをする。
【００２５】
このように配線の施された断熱箱体１には、その出入口２４に断熱扉４５が取り付けられ、また、断熱箱体１の一側に機械室２が設置されるとともに、断熱箱体１から機械室２の上面にわたって天板３が張られる。そして、断熱箱体１の導出口２８から導出されたリード線４３は、図２に示すように、断熱箱体１の前面の上框５ａに沿って機械室２に配線されて、機械室２内に設けられた電源装置等に接続される。
【００２６】
すなわち本実施例では、センタフレーム３４に貼られたコードヒータ４２のリード線４３を、ジョイナ９に設けた導入口２６から断熱材４７に導入してその導入方向とは交差した面である断熱箱体１の前面の導出口２８から導出するようになっていて、そのために、断熱材４７中にリード線４３を回曲して挿通する挿通路が必要となるのであるが、本実施例では、その挿通路を、外箱５の上面に形成した中継口２９を利用して孔明け加工した２本の通路５１、５２で形成するようにしたから、挿通路形成用の別部品が不要で安価に製造することが可能となる。また、リード線４３を通す際には、それぞれに真直な第１通路５１と第２通路５２に順次に通せば良いのであるから、リード線４３が途中で通路に突き当たるおそれがなく、リード線４３の挿通作業を簡単に能率良く行うことができる。
【００２７】
また、中継口２９は長孔状にしてあるから、導入口２６から中継口２９に向かう鉛直な第１通路５１はもちろんのこと、その第１通路５１と交差して導出口２８から中継口２９に斜め上方に向かう第２通路５２も、ドリル４９により簡単に明けることができる。また、中継口２９を長孔状として、孔明けに必要な最小限の面積を開口するのに止めてあるから、それを形成した外箱５の上面の強度低下を最小限に抑えることができる。
【００２８】
＜他の実施例＞
本発明は上記記述及び図面によって説明した実施例に限定されるものではなく、例えば次のような実施態様も本発明の技術的範囲に含まれ、さらに、下記以外にも要旨を逸脱しない範囲内で種々変更して実施することができる。
（１）上記実施例では、コードヒータ４２のリード線４３を引き出す場合を例示したが、本発明は、室内灯やセンサ等の他の電装品のリード線を外部に引き出す場合にも同様に適用できる。
【００２９】
（２）また、リード線４３の引き出し箇所は上記実施例に例示した箇所に限らず、例えば、内箱６の天井面から外箱５の前面に引き出す場合等、要は、リード線を箱内部から断熱材中に導入して箱外部にその導入方向とは交差する方向に導出する場合全般に適用し得るものである。
【図面の簡単な説明】
【図１】  本発明の一実施例に係る冷蔵庫の分解外観斜視図である。
【図２】  本実施例の断熱箱の外観斜視図である。
【図３】  その断熱箱の断面図である。
【図４】  孔明け工程を説明する部分断面図である。
【図５】  リード線の挿通工程を説明する部分断面図である。
【符号の説明】
１…断熱箱体  ５…外箱  ６…内箱  ９…ジョイナ  ２３…外殻体  ２６…導入口  ２８…導出口  ２９…中継口  ３４…センタフレーム  ４２…コードヒータ（電装品）  ４３…リード線  ４７…断熱材  ４９…ドリル（孔明け工具）
５１…第１通路  ５２…第２通路
【図１】
0003640413.tif 000002
【図２】
0003640413.tif 000003
【図３】
0003640413.tif 000004
【図４】
0003640413.tif 000005
【図５】
0003640413.tif 000006